(57)【要約】【課題】本考案は状況認識低下状態や、寝たきりの患者が自身に装着された、点滴管、その他の装着医療器具やオムツなどを引き抜くことを防止する為の介護用品であるが、通気性と衛生面、手指の動きの促進、患者の装着感にも重点を置き、患者の負担軽減を図る、介護用ハンドボックスの提供。【解決手段】形状を逆Ｕ字にし、両面にネットを張り、通気性をよくすると共に、主な使用素材に樹脂や化学繊維を使用することにより、細菌の付着や増殖を抑える効果がある。又ボックスの幅を４〜６ｃｍ程度とることと、二重ネットにより、ボックスの外の物を掴めなくし、ボックス内では自由に手指を動かせる空間を確保した、且つ、エアボールや弾力性に富む素材を使用した、動物などのぬいぐるみ等を吊り下げた。それらを握ったときの反発力を利用して、指の屈伸反復運動が容易となる可能性と、取り外しを簡単にして、手指の環境を変化させ、患者のマンネリ感も少なくした。【選択図】図１
0003139416.tif 000002
【実用新案登録請求の範囲】
【請求項１】
５本の指を自由に動かすことが可能となるよう、形状を逆Ｕ字のボックス型にして、空間を確保し、医療具やオムツ等を掴んで、引抜いたりできないように、ネットを二重に張り（図１Ｂ）通気性と、衛生面を考慮した素材を使用し、使用する患者の負担軽減も図った、介護用ハンドボックス。
【請求項２】
上記請求項１に、取り外しが簡単な（図１Ｄ）樹脂系素材の、小さなエアボール（市販品有）や、或いは弾力性に富む素材を使用した、ぬいぐるみ等の小物を吊るし、それらを患者が握った時に起きる、空気圧や、素材の反発力などで、指の屈伸運動の反復が容易となるような考案を、加味した介護用ハンドボックス（図１）
【考案の詳細な説明】
【考案の詳細説明】
【技術分野】
【０００１】本考案は、寝たきりの医療、介護患者の、患者自身に装着された介護、医療用具等の引抜きと、指を動かさないためにおきる（特に高齢者）、手指の硬直固定化の予防に関する。
【背景技術】
【０００２】従来の引抜き防止用具としては、実用新案文献１、特許文献１、２のように手指の拘束のみを課題としているものがほとんどである。しかもネットを使用した場合には、ネットに弛みがあると、容易に物を掴むことができ、引抜き防止にはならない。また、現在販売されている介護用手袋は、高齢者には手指の硬直化の危惧があり、患者の装着感や負担に重きを置かない物が多く、その上高価で広く使われていないのが実情である。病院などでは、今現在もやむなくベッドに取り付けた拘束帯で手首をしばりつけて患者に苦痛を与えているのが見受けられる。
【実用新案文献１】
実用新案登録番号第３１１１０６３号
【特許文献１】特許公開２００１−７３２０９  号
【特許文献２】特許公開２００７−１１９９８５  号
【考案の開示】
【考案が解決しょうとする課題】
【０００３】従来の引抜き防止手袋よりも通気性にすぐれ、衛生的、且つ五本の指を自由に動かすことができ、完全な引き抜き防止と指の屈伸の反復運動が容易にできることを、課題とした。
【課題を解決するための手段】
【０００４】本考案は、上記課題を解決するために、手の平、甲側の双方に指が通過しない穴の化学繊維性のネットを逆Ｕ字の袋状に縫製し、手の平、甲側のネットとネットの間に、樹脂系のなるべく硬くない薄板を、幅４〜６ｃｍ程度の逆Ｕ字型に成型したものを挿入し、ネットをピンと張ることでネットの外の物は完全に掴めなくなるが、痩身の方は手首の縛りが細くなることで、ネットに弛みが起きる場合がある為に、もう一組の１ミリほど大きく縫合したネットを上から被せる。
以上の要件で、５本の指が自由に動かせる空間を確保する。
【０００５】上記逆Ｕ字ネットのボックスの中に、樹脂系エアミニボール（市販品有）又は、弾力性に富む素材を使用した、動物などのぬいぐるみを上から吊るす。これらはネットで包み、取り外しが容易にできるようにしておく。
【０００６】手首に当たる部分だけは、辱創防止のために、ガーゼ織の綿布を使用し、引き抜き防止用具の脱落防止の為に紐、または取り外しが自在となるテープ、などで脱落しない程度に手首に装着する。
また、樹脂系薄板の上をネットの縫合部分のほつれ防止の為と逆Ｕ字の枠縁が、装着された管等へ引っ掛かることを防ぐと共に、装飾のためにも５〜７センチ幅のナイロンレースで覆う。製作方法の簡素化としては、樹脂成型、エアボール、動物ミニチュアのみを業者発注するか、市販品を使用すれば、高齢者でも簡単に作成できる。
【考案の効果】
【０００７】本考案は手の平、甲側の全体がネットなので通気性に非常に優れており、また手首以外の使用材料に樹脂系の薄板と化学繊維のネットを使用することで、細菌の付着と、増殖を減少させる効果がある、上から吊るす、エアボールや、動物のミニチュアもネットで包むことにより、手の平との間に隙間ができる。
本考案は洗濯が簡単で乾きも早い。
以上の条件により本考案は衛生的であるとともに、ボックス型のため空間が、あるので指を自由に動かすことができ、患者に窮屈感を与えない。
【０００８】装着管などの引抜きについては、手の平、甲側の全体のネットを弛みなくピンと、張ることと、もう一組の縫合したネットを被せることにより、ボックス内で手指を、どう動かそうともボックスの外の物を掴むことはできない。
よって引抜きは不可能である。又ボックスの枠縁にはレースがあるので、装着管などへの引っ掛けなども防ぐことができる。
【０００９】ネット内に吊るした樹脂系ミニエアボールや、動物のミニチュアなどは、空気圧や、弾力性に富む素材の反発力により、握る、離す、を繰り返し指の屈伸運動を容易にさせる可能性がある。
【考案を実施するための最良の形態】
【００１０】樹脂系の軟らかな薄板を逆Ｕ字型に成型する。この時、薄板の中央に、紐通しの小穴、を開けておく。【００１１】逆Ｕ字型に裁断した化学繊維のネット２枚を縫合し、その中に曲げた樹脂系薄板を挿入固定する、図２Ａ【０００９】手首に当たる部分の脱落防止帯の縫いしろ、と図２のネットの縫いしろを縫い合わせる。脱落防止帯の固定に、ここでは紐を使用したが、取り外しが自在となるテープ（マジックテープ等）でも良い。【００１０】完全にネット外の物を掴ませたいために、もう一組の縫合したネット（図１Ｂ）を上から被せる。このネットの下方は縫合せず開いたままにして置く。【０００１１】図３の樹脂系ミニエアボールや、動物などのぬいぐるみを開けた穴から紐で吊るす。図１Ｄ【００１２】ナイロンレース５〜７センチ幅（図１Ｃ）を取り付けて完成（図１）
【図面の簡単な説明】
【図１】完成図である。
【図２】逆Ｕ字に縫合したネットに曲げた樹脂系薄板を挿入した図である。
【図３】ネットで包んだ樹脂系のエアボール（動物のぬいぐるみなど）を示している。
【図４】手首に当たる部分、脱落防止帯を示している。
【符号の説明】
［Ａ］  Ｕ字に曲げた樹脂系薄板
［Ｂ］  （Ｅ）のネットの上に被せた化学繊維のネット
［Ｃ］  樹脂系薄板の上に取り付けたナイロンレース
［Ｄ］  手指屈伸運動のボール（弾力性による反発力が、あれば何でも可）
［Ｅ］  逆Ｕ字に裁断し、縫合した化学繊維のネット（一重）
【図１】
0003139416.tif 000003
【図２】
0003139416.tif 000004
【図３】
0003139416.tif 000005
【図４】
0003139416.tif 000006
【手続補正書】
【提出日】平成19年10月10日(2007.10.10)
【手続補正１】
【補正対象書類名】実用新案登録請求の範囲
【補正対象項目名】全文
【補正方法】変更
【補正の内容】
【実用新案登録請求の範囲】
【請求項１】
五本の指を自由に動かすことが可能となるよう、空間を確保するために、形状を幅４〜６ｃｍの逆Ｕ字のボックス型にし、この逆Ｕ字のボックス型の内側の両面に、ネットを二重に張ったことを特徴とする、介護用ハンドボックス。
【請求項２】
取り外しが可能な、弾力性のある部材を前記のボックス内に吊り下げたことを特徴とする、請求項１に記載の介護用ハンドボックス